(57)【特許請求の範囲】
【請求項１】
水稲機械移植に供する根絡みマット状苗を育苗する水耕装置であって、複数枚の育苗床材を並べて敷き詰める育苗ベッドを備えて構成されており、上記育苗ベッドは全体に平面状であってその一部が多数の通水孔をあけた通水面を成していて、通水面の下面に対応して上面に開いた凹溝状の水路構成体を配置して成ることを特徴とする水耕装置。
【請求項２】
育苗ベッドは、幅方向に複数の分割構成枠を連結して一体に構成したことを特徴とする請求項１記載の水耕装置。
【請求項３】
育苗ベッドの通水面はその両側にあって、水路構成体は育苗ベッドの両側を支持する構成であることを特徴とする請求項１記載の水耕装置。
【請求項４】
育苗ベッドの上面から灌水する流し方式の灌水装置を備えており、育苗ベッドの通水面がその下面に対応して配置された水路構成体に対する排水面を成していることを特徴とする請求項１記載の水耕装置。
【請求項５】
水路構成体から育苗ベッドの通水面を通して灌水する底面灌水方式の灌水装置を備えていることを特徴とする請求項１記載の水耕装置。
【請求項６】
灌水装置を構成する給水系のポンプと育苗ベッドに上面から灌水する流し方式の灌水装置との間に、ポンプからの送水圧力により開弁して育苗ベッド上に灌水し、送水停止による送水圧力の解消によって育苗ベッド上の水を排水する排水口となる給水弁と、送水中に育苗ベッド上から灌水余剰分を自動的にオーバーフローする排水口とを兼ね備えた給水制御装置を備えていることを特徴とする請求項４記載の水耕装置。
【請求項７】
灌水装置を構成する給水系のポンプと育苗ベッドに底面灌水する水路構成体との間に、ポンプからの送水圧力により開弁して育苗ベッドに灌水し、送水停止による送水圧力の解消によって水路内の水を排水する排水口となる給水弁と、送水中に育苗ベッド上から灌水余剰分を自動的にオーバーフローする排水口とを兼ね備えた給水制御装置を備えていることを特徴とする請求項５記載の水耕装置。
【請求項８】
育苗ベッドを構成する部材は、アルミニウム押出成形品であって、育苗ベッドはその上面に継ぎ目が現れないように構成されていることを特徴とする請求項２記載の水耕装置。
【請求項９】
育苗ベッドを構成する部材は、表面に抗菌処理またはアルマイト処理を施したアルミニウム製であることを特徴とする請求項８記載の水耕装置。
【請求項１０】
育苗ベッドは、その幅方向に複数の分割構成枠を連結した部位を上からの荷重に対する支持構造としたことを特徴とする請求項２記載の水耕装置。
【発明の詳細な説明】
【０００１】
【発明の属する技術分野】
本発明は、水稲機械移植に供する根絡みマット状苗の育苗する水耕装置であって、マット状苗の育苗のほかに花卉類や野菜類などの栽培にも使用することができる汎用性にすぐれた水耕装置に関する。
【０００２】
【従来の技術】
水稲機械移植に供する根絡みマット状苗を育苗する水耕装置であって、上面開放状の貯水槽をなす栽培ベッドに、多数の通水孔をあけた育苗プレート（育苗ベッド）を敷設して、育苗プレートの上面に種子を均等密度に播種し、育苗プレートの多数の通水孔を通して灌水する、いわゆる底面灌水方式のものは、特開平９−１８２５３５号公報に記載されている。
【０００３】
【発明が解決しようとする課題】
前掲公報にも詳しく示されているように、水稲機械移植に供する根絡みマット状苗の育苗には、底面灌水方式の水耕栽培が適しているが、花卉や野菜はその種類によって、多くの場合に底面灌水よりも育苗ベッド上に給水する、いわゆる流し給水方式による水耕栽培が適している。
【０００４】
ところで、水稲機械移植に供する根絡みマット状苗の水耕装置は、その使用時期が限られていて年間稼働率がきわめて低いので、花卉や野菜の水耕装置に一時的に水稲用の育苗ベッドを設置され栽培が行なわれていた。しかしこの育苗ベッドは、縦横方向共に分割されたものを並べているだけであるため、段差、隙間、歪みが発生し、苗の生育の違いや、段差、隙間から根が育苗ベッド外に生育してしまうことがあり、機械移植に適さない場合になるなど不具合点が発生し、その機能的改善が強く求められている。
【０００５】
そこで、本発明は、このような実情に基づき、複数枚の育苗床材を並べて敷き詰める育苗ベッドを備えて構成されており、上記育苗ベッドは全体に平面状であってその一部が多数の通水孔をあけた通水面を成していて、通水面の下面に対応して上面に開いた凹溝状の水路構成体を配置したことにより、流し式灌水と底面灌水の何れにも対応でき、根絡みマット状苗のほか、花卉や野菜の栽培にも使用できて通年稼動可能で稼働効率のきわめて高い水耕装置を提供することを目的とする。
【０００６】
【課題を解決するための手段】
上記目的を達成するための本発明は、請求項１ないし１０に記載する水耕装置を提供する。すなわち、請求項１は、水稲機械移植に供する根絡みマット状苗を育苗する水耕装置であって、複数枚の育苗床材を並べて敷き詰める育苗ベッドを備えて構成されており、上記育苗ベッドは全体に平面状であってその一部が多数の通水孔をあけた通水面を成していて、通水面の下面に対応して上面に開いた凹溝状の水路構成体を配置して成ることを特徴とする水耕装置である。。
【０００７】
請求項２は、育苗ベッドは、幅方向に複数の分割構成枠を連結して一体に構成したことを特徴とする請求項１記載の水耕装置である。
【０００８】
請求項３は、育苗ベッドの通水面はその両側にあって、水路構成体は育苗ベッドの両側を支持する構成であることを特徴とする請求項１記載の水耕装置である。
【０００９】
請求項４は、育苗ベッドの上面から灌水する流し方式の灌水装置を備えており、育苗ベッドの通水面がその下面に対応して配置された水路構成体に対する排水面を成していることを特徴とする請求項１記載の水耕装置である。
【００１０】
請求項５は、水路構成体から育苗ベッドの通水面を通して灌水する底面灌水方式の灌水装置を備えていることを特徴とする請求項１記載の水耕装置である。
【００１１】
請求項６は、灌水装置を構成する給水系のポンプと育苗ベッドに上面から灌水する流し方式の灌水装置との間に、ポンプからの送水圧力により開弁して育苗ベッド上に灌水し、送水停止による送水圧力の解消によって育苗ベッド上の水を排水する排水口となる給水弁と、送水中に育苗ベッド上から灌水余剰分を自動的にオーバーフローする排水口とを兼ね備えた給水制御装置を備えていることを特徴とする請求項４記載の水耕装置である。
【００１２】
請求項７は、灌水装置を構成する給水系のポンプと育苗ベッドに底面灌水する水路構成体との間に、ポンプからの送水圧力により開弁して育苗ベッドに灌水し、送水停止による送水圧力の解消によって水路内の水を排水する排水口となる給水弁と、送水中に育苗ベッド上から灌水余剰分を自動的にオーバーフローする排水口とを兼ね備えた給水制御装置を備えていることを特徴とする請求項５記載の水耕装置である。
【００１３】
請求項８は、育苗ベッドを構成する部材は、アルミニウム押出成形品であって、育苗ベッドはその上面に継ぎ目が現れないように構成されていることを特徴とする請求項２記載の水耕装置である。
【００１４】
請求項９は、育苗ベッドを構成する部材は、表面に抗菌処理またはアルマイト処理を施したアルミニウム製であることを特徴とする請求項８記載の水耕装置である。
【００１５】
請求項１０は、育苗ベッドは、その幅方向に複数の分割構成枠を連結した部位を上からの荷重に対する支持構造としたことを特徴とする請求項２記載の水耕装置である。
【００１６】
【発明の実施の形態】
図１は本発明の一実施の形態に係る水耕装置の一部切欠斜視図、図２はその側面図、図３は断面図、図４は育苗ベッドの斜視図、図５は育苗ベッドと水路構成体との関係構成を示す分解断面図、図６は育苗ベッドと水路構成体との結合構成を示す断面図である。
【００１７】
また、図７は本発明の他の実施の形態に係る水耕装置の全体斜視図、図８は同上育苗ベッドの給水系を示す斜視図、図９は育苗ベッドの給水系を示す分解斜視図、図１０は給水制御装置の斜視図、図１１は給水制御装置の底面灌水状態およびオーバーフロー状態を示す断面図、図１２は給水制御装置の底面灌水状態を示す断面図であって、（１）は水路構成体への給水態様を、（２）はそのときの育苗ベッド上からのオーバーフロー態様を示している。図１３は給水制御装置の水路構成体からの排水態様を示す断面図である。
【００１８】
図１ないし図３において、１は水耕装置である。この水耕装置１は、苗床材２を敷き詰めた育苗ベッド３を複数並べて構成されている。育苗ベッド３は全体に平面状であってその一部が多数の通水孔４をあけた通水面５を成していて、通水面５の下面に対応して水路構成体６が設けられている。水路構成体６は上面に開いた凹溝状を成している。
【００１９】
育苗ベッド３は、育苗部８を構成するものであり、かつ、その各育苗部８は、図４に示すように、長さ方向に一体構造となっている。
【００２０】
育苗ベッド３の通水面５はその両側にあって、水路構成体６は、図５および図６に示すように、育苗ベッド３の両側を支持するようにその下面に配置されており、育苗ベッド３は、その幅方向に複数の分割構成枠を連結した部位を、水路構成体６により上からの荷重に対する支持構造としている。
【００２１】
育苗ベッド３を構成する部材は、アルミニウム押出成形品であって、育苗ベッド３は、図５および図６に示すように、その上面に継ぎ目が現れないように構成されている。育苗ベッド３を構成する部材は、表面に抗菌処理またはアルマイト処理を施したアルミニウム製であることが好ましい。
【００２２】
図１ないし図３に示す水耕装置１は、育苗ベッド３の上面から灌水する流し方式の灌水装置９を備えている。すなわち、１０は給水系のポンプ、１１は給水弁であって、ポンプ１０に接続されている給水弁１１により育苗ベッドの３の一端側から、その上面に流し方式で給水がなされるように構成されている。１２は水位保持オーバーフロー口、１３はその排水管である。１４は水タンクである。この流し方式の灌水装置９を備えた水耕装置１においては、育苗ベッド３の通水面５がその下面に対応して配置された水路構成体６に対する排水面を成している。
【００２３】
給水弁１１は、ポンプ１０からの送水圧力により開弁して育苗ベッド３上に灌水し、送水停止による送水圧力の解消によって育苗ベッド３上の水を排水する排水口となり、かつ送水中に育苗ベッド３上から灌水余剰分を自動的にオーバーフローする排水口とを兼ね備え給水制御装置を構成するものである。
【００２４】
図７ないし図９に示す水耕装置１は、育苗ベッド３の前後方向に前後構成枠７を設け育苗ベッド内を貯水可能とし、水路構成体６から育苗ベッド３の通水面５を通して灌水する底面灌水方式の灌水装置を備えているものである。この底面灌水方式の水耕装置１においては、給水系のポンプ１０と育苗ベッド３に底面灌水する水路構成体６との間に給水制御装置１５が介在されている。この給水制御装置１５は、図１０に示すように、ポンプ１０に接続される給水口１６からの送水圧力により開弁して水路構成体６，６に給水して育苗ベッド３にその通水面４から底面灌水する送水口１７，１７と、送水中に育苗ベッド３上から灌水余剰分を自動的にオーバーフローする排出口１８とを備えており、その内部に設けられた給水弁１９により、ポンプ１０からの送水圧力により送水口１７，１７が開かれ、ポンプ１０の送水停止による送水圧力の解消によって水路構成体６，６内の水を排水する排出口１８が開かれるようになっている（図１１）。図１２の（１）はポンプ１０からの送水圧力により送水口１７，１７が開かれて、水路構成体６，６に給水して底面灌水がなされている状態を、図１２の（２）は送水中に育苗ベッド３上から灌水余剰分が排水口１８から自動的にオーバーフローする状態をそれぞれ示しており、また、図１３はポンプ１０の送水停止による送水圧力の解消により排水口１８が開かれて水路構成体６，６内の水を排水する状態を示している。
【００２５】
以上、本発明に係る実施の形態から明らかなように、本発明に係る水耕装置１は、育苗ベッド３の上面に給水する流し灌水と、水路構成体６，６を経て育苗ベッド３の通水面５から給水する底面灌水とに対応できるので、根絡みマット状苗の育苗のほか、花卉や野菜の栽培にも使用でき、通年稼動により稼働効率を大きく向上させることができる。なお、図示した実施の形態では、流し灌水方式と底面灌水方式をそれぞれ構成しているが、本発明に係る水耕装置１は、その両者を併設することができるものである。
【００２６】
【発明の効果】
請求項１の発明によれば、水稲機械移植に供する根絡みマット状苗を育苗する水耕装置であって、複数枚の育苗床材を並べて敷き詰める育苗ベッドを備えて構成されており、上記育苗ベッドは全体に平面状であってその一部が多数の通水孔をあけた通水面を成していて、通水面の下面に対応して上面に開いた凹溝状の水路構成体を配置して成るので、流し式灌水と底面灌水の何れにも対応でき、マット苗の育苗のほか、花卉や野菜の栽培にも使用できる。このため、通年稼動により稼動効率を大きく向上させることができる。また、育苗ベッド上の全体が平面状であるから、根の継ぎ目入りが生じないし、清掃が簡単、確実にでき、雑菌やカビの発生を防止できる。さらに、育苗ベッド上の灌水が適切にでき、排水も適切にできる。
【００２７】
請求項２の発明によれば、育苗ベッドは、幅方向に複数の分割構成枠を連結して一体に構成したので、組立、構築面で有利であり、その作業が容易である。
【００２８】
請求項３の発明によれば、育苗ベッドの通水面はその両側にあって、水路構成体は育苗ベッドの両側を支持する構成であるから、育苗ベッド上に速やかに均等な灌水ができ、排水も同様である。また、育苗ベッドの両側が水路構成体で下支えされるので、たわみが防止できる。
【００２９】
請求項４の発明によれば、育苗ベッドの上面から灌水する流し方式の灌水装置を備えており、育苗ベッドの通水面がその下面に対応して配置された水路構成体に対する排水面を成しているので、流し灌水と排水が良好である。
【００３０】
請求項５の発明によれば、水路構成体から育苗ベッドの通水面を通して灌水する底面灌水方式の灌水装置を備えているので、底面灌水と排水が良好である。
【００３１】
請求項６の発明によれば、灌水装置を構成する給水系のポンプと育苗ベッドに上面から灌水する流し方式の灌水装置との間に、ポンプからの送水圧力により開弁して育苗ベッド上に灌水し、送水停止による送水圧力の解消によって育苗ベッド上の水を排水する排水口となる給水弁と、送水中に育苗ベッド上から灌水余剰分を自動的にオーバーフローする排水口とを兼ね備えた給水制御装置を備えてので、流し灌水の制御機構が簡素であり、その制御機能が的確である。
【００３２】
請求項７の発明によれば、灌水装置を構成する給水系のポンプと育苗ベッドに底面灌水する水路構成体との間に、ポンプからの送水圧力により開弁して育苗ベッドに灌水し、送水停止による送水圧力の解消によって水路内の水を排水する排水口となる給水弁と、送水中に育苗ベッド上から灌水余剰分を自動的にオーバーフローする排水口とを兼ね備えた給水制御装置を備えているので、底面灌水の制御機構が簡素であり、その制御機能が的確である。
【００３３】
請求項８の発明によれば、育苗ベッドを構成する部材は、アルミニウム押出成形品であって、育苗ベッドはその上面に継ぎ目が現れないように構成されているので、育苗ベッドが良好に構築でき、その作業性が良好である。大型であっても軽量であるから、ロングマット苗の水耕装置に好適である。
【００３４】
請求項９の発明によれば、育苗ベッドを構成する部材は、表面に抗菌処理またはアルマイト処理を施したアルミニウム製であるから、アルミニウム製の特徴に加えて、雑菌、カビの発生を防止効果が大であり、さらにアルマイト処理により長期間にわたって腐蝕を防止することができる。
【００３５】
請求項１０の発明によれば、育苗ベッドは、その幅方向に複数の分割構成枠を連結した部位を上からの荷重に対する支持構造としたので、育苗ベッドが幅方向の適間隔で下支えされるので、たわみ防止に効果がある。また、育苗ベッドの両側を水路構成体で下支えする構成との併用によれば、なお一層その効果が大である。
【図面の簡単な説明】
【図１】本発明の一実施の形態に係る水耕装置の一部切欠斜視図である。
【図２】本発明の一実施の形態に係る水耕装置の側面図である。
【図３】本発明の一実施の形態に係る水耕装置の断面図である。
【図４】育苗ベッドの分解斜視図である。
【図５】育苗ベッドと水路構成体との関係構成を示す分解断面図である。
【図６】育苗ベッドと水路構成体との結合構成を示す断面図である。
【図７】本発明の他の実施の形態に係る水耕装置の全体斜視図である。
【図８】本発明の他の実施の形態に係る育苗ベッドの給水系を示す斜視図である。
【図９】本発明の他の実施の形態に係る育苗ベッドの給水系を示す分解斜視図である。
【図１０】本発明の他の実施の形態に係る給水制御装置の斜視図である。
【図１１】本発明の他の実施の形態に係る給水制御装置の底面灌水状態およびオーバーフロー状態を示す断面図である。
【図１２】本発明の他の実施の形態に係る給水制御装置の底面灌水状態を示す断面図であって、（１）は水路構成体への給水態様を、（２）はそのときの育苗ベッド上からのオーバーフロー態様を示している。
【図１３】本発明の他の実施の形態に係る給水制御装置の水路構成体からの排水態様を示す断面図である。
【符号の説明】
１  水耕装置
２  育苗床材
３  育苗ベッド
４  多数の通水孔
５  通水面
６  水路構成体
７  前後構成枠
８  育苗部
９  流し方式の灌水装置
１０  給水系のポンプ
１１  給水弁
１２  水位保持オーバーフロー口
１３  排水管
１４  水タンク
１５  給水制御装置
１６  給水口
１７，１７  送水口
１８  排出口
１９  給水弁
【図１】
0004036606.tif 000002
【図２】
0004036606.tif 000003
【図３】
0004036606.tif 000004
【図４】
0004036606.tif 000005
【図５】
0004036606.tif 000006
【図６】
0004036606.tif 000007
【図７】
0004036606.tif 000008
【図８】
0004036606.tif 000009
【図９】
0004036606.tif 000010
【図１０】
0004036606.tif 000011
【図１１】
0004036606.tif 000012
【図１２】
0004036606.tif 000013
【図１３】
0004036606.tif 000014